(57)【要約】【課題】画像が記録されて胴内排出された被記録媒体をユーザが容易に取り出すことができる薄型の画像記録装置の提供。【解決手段】給紙トレイ１６０に大サイズ用紙２５０が収容される場合、リヤガイド１６５が第１位置に配置される。給紙トレイ１６０に小サイズ用紙２５１が収容される場合、リヤガイド１６５が第２位置に配置される。リヤガイド１６５が第１位置にある状態では、後端部１９６がリヤガイド１６５に支持されてサブトレイ１８３の姿勢変化が規制される。これにより、サブトレイ１８３の上面１９３が所定の高さに支持される。リヤガイド１６５が第１位置から第２位置へ移動されることにより、リヤガイド１６５によるサブトレイ１８３の支持が解除される。その結果、サブトレイ１８３が回動して上面１９３が給紙トレイ１６０側へ移動し、開口２０６における排紙トレイ１８０上の空間が下方へ拡張される。【選択図】図４
2008297058.tif 000002
【特許請求の範囲】
【請求項１】
開口を有する装置本体と、
上記装置本体の開口内に配置され、シート状の被記録媒体を収容する第１トレイと、
上記収容される第１サイズの被記録媒体を上記第１トレイに対して位置決めする第１位置と、上記収容される上記第１サイズよりも小さい第２サイズの被記録媒体を当該第１トレイに対して位置決めする第２位置との間を移動可能な位置決め部材と、
上記第１トレイの上側に該第１トレイと上下二段に配置される第２トレイと、
上記第１トレイから被記録媒体を搬送して上記第２トレイ上に排出する搬送部と、
上記被記録媒体の搬送過程で該被記録媒体に画像を記録する記録部と、を具備し、
上記第２トレイは、少なくとも該第２トレイの上記開口側の端部における上面が所定の高さに支持された第１姿勢と、該第１姿勢に対して少なくとも上記上面が上記第１トレイ側へ移動された第２姿勢との間で姿勢変化可能に構成され、
上記位置決め部材は、上記第１位置に配置された状態で上記第２トレイを支持して当該第２トレイの上記第１姿勢から上記第２姿勢への姿勢変化を規制し、上記第１位置から上記第２位置へ移動されることにより上記支持を解除するものである画像記録装置。
【請求項２】
上記位置決め部材は、上記第１トレイに収容された被記録媒体が上記開口側へ移動することを規制する第１規制部材である請求項１に記載の画像記録装置。
【請求項３】
上記位置決め部材は、上記第１トレイに収容された被記録媒体がその搬送方向と略直交する水平方向へ移動することを規制する第２規制部材である請求項１に記載の画像記録装置。
【請求項４】
上記第２トレイにおける上記開口側の端部は、上記位置決め部材が上記第２位置に配置された状態で、上記被記録媒体の搬送方向と略直交する水平方向を軸として上記第１トレイ側へ回動可能に構成されている請求項１から３のいずれかに記載の画像記録装置。
【請求項５】
上記第２トレイは、
その上記開口側の一部が切り欠かれた平面視が略凹形状のトレイ本体と、
該トレイ本体の切り欠き部に配置され、上記位置決め部材が上記第１位置から上記第２位置へ移動されて上記第１トレイ側へ回動可能となるサブトレイとを備える請求項４に記載の画像記録装置。
【請求項６】
上記サブトレイは、上記水平方向におけるその幅が上記第２サイズの被記録媒体の幅よりも広いものである請求項５に記載の画像記録装置。
【請求項７】
上記搬送部は、上記記録部により画像が記録された被記録媒体を上記開口へ向けて排出するものである請求項１から６のいずれかに記載の画像記録装置。
【請求項８】
上記第２トレイは、上記位置決め部材が上記第２位置に配置された状態で、当該第２トレイの重量によって上記第１姿勢から上記第２姿勢へ姿勢変化するものである請求項１から７のいずれかに記載の画像記録装置。
【請求項９】
上記第２トレイを上記第２姿勢から上記第１姿勢へ姿勢変化するように弾性付勢する付勢部材を備える請求項１から７のいずれかに記載の画像記録装置。
【請求項１０】
上記装置本体は、その正面側に上記開口を有する請求項１から９のいずれかに記載の画像記録装置。
【請求項１１】
上記記録部の上方に原稿の画像を読み取る読取部を備え、
上記記録部により画像が記録された被記録媒体は、上記読取部と上記第２トレイとの間の空間に排出される請求項１から１０のいずれかに記載の画像記録装置。
【発明の詳細な説明】
【技術分野】
【０００１】
本発明は、画像が記録された被記録媒体を胴内排出する画像記録装置に関する。
【背景技術】
【０００２】
インクジェットプリンタやレーザプリンタなどの画像記録装置は、給紙トレイ及び排紙トレイを備えている。給紙トレイには、画像の記録に使用される記録用紙が収容される。この記録用紙は、給紙トレイから搬送され、その搬送過程で画像が記録されて排紙トレイへ排出される。この種の画像記録装置の中には、排紙トレイが装置本体の内側に設けられたいわゆる胴内排出タイプのものが知られている。
【０００３】
特許文献１に記載の画像形成装置は、画像読取部及び画像形成部を備える。この画像形成装置では、画像読取部により原稿の画像が読み取られ、画像形成部によりその原稿の画像が記録用紙に記録される。画像が記録された記録用紙は、排紙トレイに排出される。排紙トレイは、装置本体における上部に設けられた画像読取部と、下部に設けられた画像形成部との間に設けられている。排紙トレイは、記録用紙の排出方向の先端側が後端側よりも低くなるように傾斜されている。これにより、排紙トレイの上面が画像形成装置の外側へ向けられているので、排紙トレイが水平に設けられている場合に比べて、ユーザが排紙トレイから記録用紙を容易に取り出すことができる。
【０００４】
特許文献２には、操作パネルが設けられている装置本体の正面側から離れた位置に排出された記録用紙の取り出しを容易にする構成が開示されている。特許文献２に記載の画像形成装置は、画像が記録された記録用紙が排出される排紙トレイ、及び排紙トレイから記録用紙を取り出すための排出口が装置本体の側方に設けられている。画像が記録された記録用紙は、排紙トレイにおける装置本体の背面側に排出される。排紙トレイは、装置本体の正面側が背面側よりも低くなるように傾斜されている。このため、排紙トレイに排出された記録用紙が傾斜された排紙トレイに沿って装置本体の背面側から正面側へスライド移動する。これにより、装置本体の正面側からの記録用紙の取り出しが容易になる。
【０００５】
また、特許文献２には、排紙トレイが水平に配置された水平姿勢と、排紙トレイが上述のように傾斜された傾斜姿勢との間を回動可能とする構成が開示されている。ユーザが排紙トレイにおける装置本体の正面側を押し下げることによって排紙トレイが回動し、排紙トレイからの記録用紙の取り出しが容易になる。
【０００６】
【特許文献１】特開２００１−６３８９８号公報
【特許文献２】特開平５−１１６８３０号公報
【発明の開示】
【発明が解決しようとする課題】
【０００７】
特許文献１に記載の画像形成装置では、排紙トレイが傾斜して設けられているので、排紙トレイが水平に設けられている場合に比べて排紙トレイが占有する空間が増大する。このため、装置が大型化するという問題がある。特許文献２に記載の画像形成装置では、排紙トレイを回動させるための空間を設けておく必要があり、特許文献１に記載の画像形成装置と同様に装置が大型化するという問題がある。
【０００８】
本発明は、かかる問題に鑑みてなされたものであり、画像が記録されて胴内排出された被記録媒体をユーザが容易に取り出すことができる薄型の画像記録装置を提供することを目的とする。
【課題を解決するための手段】
【０００９】
(1)  本発明に係る画像記録装置は、開口を有する装置本体と、上記装置本体の開口内に配置され、シート状の被記録媒体を収容する第１トレイと、上記収容される第１サイズの被記録媒体を上記第１トレイに対して位置決めする第１位置と、上記収容される上記第１サイズよりも小さい第２サイズの被記録媒体を当該第１トレイに対して位置決めする第２位置との間を移動可能な位置決め部材と、上記第１トレイの上側に該第１トレイと上下二段に配置される第２トレイと、上記第１トレイから被記録媒体を搬送して上記第２トレイ上に排出する搬送部と、上記被記録媒体の搬送過程で該被記録媒体に画像を記録する記録部と、を具備し、上記第２トレイは、少なくとも該第２トレイの上記開口側の端部における上面が所定の高さに支持された第１姿勢と、該第１姿勢に対して少なくとも上記上面が上記第１トレイ側へ移動された第２姿勢との間で姿勢変化可能に構成され、上記位置決め部材は、上記第１位置に配置された状態で上記第２トレイを支持して当該第２トレイの上記第１姿勢から上記第２姿勢への姿勢変化を規制し、上記第１位置から上記第２位置へ移動されることにより上記支持を解除するものである。
【００１０】
本発明の画像記録装置は、その装置本体に開口が形成されている。この開口は、画像が記録された被記録媒体をユーザが取り出すためのものである。装置本体の開口内には、第２トレイを上側として第１トレイ及び第２トレイが上下二段に配置されている。第１トレイには、シート状の被記録媒体が収容される。この被記録媒体は、第１トレイから搬送される過程で画像が記録されて第２トレイ上に排出される。
【００１１】
第１トレイの内部には、位置決め部材が設けられている。位置決め部材は、第１トレイに収容される被記録媒体を第１トレイに対して位置決めするものである。第１サイズの被記録媒体を第１トレイに収容する場合、位置決め部材は、第１トレイ内の第１位置に配置される。第１サイズよりも小さい第２サイズの被記録媒体を第１トレイに収容する場合、位置決め部材は、第１トレイ内の第２位置に配置される。位置決め部材は、この第１位置と第２位置との間を移動可能に構成されている。被記録媒体のサイズに応じて位置決め部材の位置が変更されることにより、被記録媒体のサイズに応じた所定位置に被記録媒体が位置決めされる。
【００１２】
第２トレイは、第１姿勢と第２姿勢との間で姿勢変化可能に構成されている。第１姿勢では、第２トレイの開口側の端部における上面が所定の高さに支持される。この第１姿勢では、例えば第２トレイの上面が全体として略水平となる。第２姿勢では、第１姿勢に対して上記上面が第１トレイ側へ移動される。位置決め部材が第１位置に配置された状態では、第２トレイが位置決め部材に支持される。これにより、第２トレイが第１姿勢に維持される。位置決め部材が第１位置から第２位置へ移動されると、上記支持が解除される。これにより、第２トレイが第１姿勢から第２姿勢への姿勢変化可能となる。この姿勢変化により、開口における第２トレイ上の空間が下方へ拡張される。その結果、小サイズ（上記第２サイズ）の被記録媒体が第２トレイ上に排出されたときに、第２トレイから小サイズの被記録媒体を取り出すことが容易になる。したがって、ユーザが第２トレイから小サイズの被記録媒体を取り出しにくくなるといった不利益を被ることなく、開口の高さを低くして画像記録装置を薄型化することが可能となる。
【００１３】
(2)  上記位置決め部材は、上記第１トレイに収容された被記録媒体が上記開口側へ移動することを規制する第１規制部材であってもよい。
【００１４】
被記録媒体は、その後端が第１規制部材に当接するように第１トレイに収容される。これにより、被記録媒体は、その先端が被記録媒体のサイズに関わらず第１トレイ内の所定位置に位置決めされる。第１サイズの被記録媒体を第１トレイに収容する場合、第１規制部材が第１位置に配置される。この状態では、第２トレイが第１規制部材に支持されて第２トレイが第１姿勢に維持される。第２サイズの被記録媒体を第１トレイに収容する場合、第１規制部材が第２位置に配置される。この第２位置は、第１位置よりも開口から離れた位置である。この状態では、第２トレイが第１規制部材に支持されず、第２トレイの第１姿勢から第２姿勢への姿勢変化が可能である。
【００１５】
(3)  上記位置決め部材は、上記第１トレイに収容された被記録媒体がその搬送方向と略直交する水平方向へ移動することを規制する第２規制部材であってもよい。
【００１６】
被記録媒体は、その両側が第２規制部材に当接するように第１トレイに収容される。これにより、被記録媒体は、その幅方向（上記水平方向）の位置が被記録媒体のサイズに関わらず所定の位置に位置決めされる。第１サイズの被記録媒体を第１トレイに収容する場合、第２規制部材が第１位置に配置される。この状態では、第２トレイが第２規制部材に支持されて第２トレイが第１姿勢に維持される。第２サイズの被記録媒体を第１トレイに収容する場合、第２規制部材が第２位置に配置される。この第２位置は、第１位置よりも第１トレイの幅方向（上記水平方向）の中央寄りの位置である。この状態では、第２トレイが第２規制部材に支持されず、第２トレイの第１姿勢から第２姿勢への姿勢変化が可能となる。
【００１７】
(4)  上記第２トレイにおける上記開口側の端部は、上記位置決め部材が上記第２位置に配置された状態で、上記被記録媒体の搬送方向と略直交する水平方向を軸として上記第１トレイ側へ回動可能に構成されていてもよい。
【００１８】
位置決め部材が第１位置に配置された状態では、位置決め部材により第２トレイにおける開口側の端部の回動が規制されており、第２トレイが第１姿勢に維持される。位置決め部材が第２位置に配置されることによって、第２トレイが第１トレイ側へ回動可能となる。すなわち、第１サイズの被記録媒体が第１トレイに収容される場合には第２トレイが第１姿勢に維持され、第２サイズの被記録媒体が第１トレイに収容される場合には第２トレイが第２姿勢に姿勢変化され得る。
【００１９】
(5)  上記第２トレイは、その上記開口側の一部が切り欠かれた平面視が略凹形状のトレイ本体と、該トレイ本体の切り欠き部に配置され、上記位置決め部材が上記第１位置から上記第２位置へ移動されて上記第１トレイ側へ回動可能となるサブトレイとを備えていてもよい。
【００２０】
トレイ本体は、開口側の一部が開口の奥側へ切り欠かれている。これにより、トレイ本体に切り欠き部が形成されている。サブトレイは、この切り欠き部に配置されている。第１姿勢において、サブトレイは、位置決め部材に支持される。サブトレイは、位置決め部材が第２位置に配置されることによって第１トレイ内へ回動可能となる。これにより、第２トレイ上の空間が切り欠き部の下方へ拡張され、第２トレイに排出された被記録媒体の取り出しが容易となる。
【００２１】
(6)  上記サブトレイは、上記水平方向におけるその幅が上記第２サイズの被記録媒体の幅よりも広いものであることが好ましい。
【００２２】
小サイズ（第２サイズ）の被記録媒体は、サブトレイが第１トレイ側へ回動された状態で第２トレイへ排出される。サブトレイの幅が小サイズの被記録媒体の幅よりも広いので、被記録媒体の両側がトレイ本体に支持されずサブトレイのみに支持される。このため、排出された小サイズの被記録媒体は、サブトレイに沿って開口側へスライドされる。その結果、小サイズの被記録媒体の取り出しがさらに容易となる。
【００２３】
(7)  上記搬送部は、上記記録部により画像が記録された被記録媒体を上記開口へ向けて排出するものであってもよい。
【００２４】
第１トレイから搬送された被記録媒体は、開口へ向けて第２トレイ上に排出される。例えばハガキなどの小サイズ（第２サイズ）の被記録媒体は、第２トレイ上の開口から離れた位置に載置される。第２トレイが第１姿勢から第２姿勢へ姿勢変化されることにより、開口における第２トレイ上の空間が下方に拡張される。したがって、第２トレイ上に排出された被記録媒体が小サイズのものであっても、被記録媒体の取り出しは容易である。
【００２５】
(8)  上記第２トレイは、上記位置決め部材が上記第２位置に配置された状態で、当該第２トレイの重量によって上記第１姿勢から上記第２姿勢へ姿勢変化するものであってもよい。
【００２６】
上記構成により、位置決め部材が第２位置に配置された状態では、第２トレイが第２姿勢に維持される。すなわち、小サイズ（第２サイズ）の被記録媒体を第１トレイに収容する場合には、第２トレイにおける開口側の端部が常に第１トレイ側へ移動した状態となる。これにより、大サイズ（第１サイズ）の被記録媒体が排出される場合に比べて、装置本体の外部からの開口内の視認性が向上する。その結果、開口内の奥に排出された小サイズの被記録媒体が第２トレイに収容されていることを、ユーザが開口内をのぞき込むことなく容易に確認することが可能となる。また、第２トレイが被記録媒体のサイズに対応しない姿勢になることがない。すなわち、第１トレイに大サイズの被記録媒体が収容された状態では第２トレイが第１姿勢に維持され、第１トレイに小サイズの被記録媒体が収容された状態では第２トレイが第２姿勢に維持される。このため、ユーザは、被記録媒体のサイズを第２トレイの姿勢から判断することが可能となる。
【００２７】
(9)  本発明の画像記録装置は、上記第２トレイを上記第２姿勢から上記第１姿勢へ姿勢変化するように弾性付勢する付勢部材を備えていてもよい。
【００２８】
第２トレイは、外力が加えられることにより第１姿勢から第２姿勢へ姿勢変化する。第２トレイが第２姿勢側から第１姿勢側へ弾性付勢されているので、外力が除かれることにより第２トレイが第１姿勢側へ戻される。
【００２９】
(10)  上記装置本体は、その正面側に上記開口を有することが好ましい。
【００３０】
上記構成により、例えば開口が装置本体の側面に形成されている場合に比べて、第２トレイからの被記録媒体の取り出しがさらに容易となる。
【００３１】
(11)  本発明の画像記録装置は、上記記録部の上方に原稿の画像を読み取る読取部を備え、上記記録部により画像が記録された被記録媒体は、上記読取部と上記第２トレイとの間の空間に排出されてもよい。
【００３２】
上記構成により、胴内排出された被記録媒体をユーザが取り出しにくくなるといった不利益を被ることなく、スキャナ及びプリンタが上下二段に設けられた装置の薄型化を図ることが可能となる。
【発明の効果】
【００３３】
本発明によれば、位置決め部材が第１位置から第２位置へ移動されることにより、位置決め部材による第２トレイの支持が解除され、第２トレイが第１姿勢から第２姿勢へ姿勢変化可能となる。この姿勢変化により、開口における第２トレイ上の空間が下方に拡張される。その結果、小サイズの被記録媒体が第２トレイ上に排出されたときに、第２トレイから小サイズの被記録媒体を取り出すことが容易になる。したがって、ユーザが第２トレイから小サイズの被記録媒体を取り出しにくくなるといった不利益を被ることなく、開口の高さを低くして画像記録装置を薄型化することができる。
【発明を実施するための最良の形態】
【００３４】
以下、適宜図面が参照されて、本発明の好ましい実施形態が説明される。なお、本実施形態は本発明の一例にすぎず、本発明の要旨を変更しない範囲で適宜変更され得る。
【００３５】
［第１実施形態］
まず、本発明の画像記録装置の一実施形態に係る複合機２００の構成及び動作について説明する。
【００３６】
＜複合機２００の概略構成＞
図１は、本発明の一実施形態に係る複合機２００の外観斜視図である。図２は、給紙カセット１５０の外観構成を示す概略斜視図であり、記録用紙２４７として給紙トレイ１６０に大サイズ用紙２５０が収容された状態を示す。
【００３７】
図１に示されるように、複合機２００は、プリント部２０１及びスキャン部２０２を備えた多機能装置（ＭＦＤ：Multi Function Device）であり、プリント機能、スキャン機能、コピー機能、ファクシミリ機能を有する。本発明に係る画像記録装置は、複合機２００のプリント部２０１として実施されている。したがって、プリント機能以外の機能は任意のものである。
【００３８】
複合機２００は、主にコンピュータ等の外部情報装置（不図示）と接続される。複合機２００は、外部情報装置から送信された画像データや文書データなどを含む印刷データを受信する。複合機２００は、その印刷データに基づいて記録用紙２４７（本発明におけるシート状の被記録媒体の一例、図３参照）に画像を記録する。また、複合機２００は、スキャン部２０２により読み取られた原稿の画像データに基づいて記録用紙２４７に画像を記録する。また、複合機２００は、デジタルカメラ等が接続されて、デジタルカメラ等から出力される画像データに基づいて記録用紙２４７に画像を記録する。また、複合機２００は、メモリカード等の各種記憶媒体が装填されて、該記憶媒体に記録された画像データ等に基づいて記録用紙２４７に画像を記録する。
【００３９】
図１に示されるように、複合機２００は、高さより横幅及び奥行きが大きい幅広薄型の概ね直方体形状に形成されている。プリント部２０１は、その装置本体２０５の正面１５６側に開口２０６を有する。この開口２０６は、画像が記録されて開口２０６内に胴内排出された記録用紙２４７をユーザが取り出すためのものである。この開口２０６内には、記録用紙２４７を収容する給紙カセット１５０（図２参照）が配置される。給紙カセット１５０は、開口２０６を通じてプリント部２０１に対して挿抜される。なお、図１では給紙カセット１５０が省略されている。
【００４０】
装置本体２０５の正面の右下部には、扉２１０（図１参照）が開閉自在に設けられている。扉２１０の内側にはカートリッジ装着部２１１が設けられている。図１に示されるように扉２１０が開かれると、カートリッジ装着部２１１が装置本体２０５の正面１５６側に露出される。これにより、カートリッジ装着部２１１に対するインクカートリッジ２１２の挿抜が可能になる。インクカートリッジ２１２は、カートリッジ装着部２１１に装着されることにより、インクチューブを介して記録ヘッド２１９（図３参照）と連結される。記録ヘッド２１９は、インクカートリッジ２１２から供給されるインクを吐出して記録用紙２４７に画像を記録する。
【００４１】
複合機２００の上部がスキャン部２０２である。スキャン部２０２は、フラットベッドスキャナ（ＦＢＳ：Flat Bed Scanner）、及び自動原稿搬送装置（ＡＤＦ：Automatic Document Feeder）を有して構成されている。図１に示されるように、複合機２００の天板として原稿カバー２０３が開閉自在に設けられている。ＡＤＦは、この原稿カバー２０３に設けられている。図には示されていないが、原稿カバー２０３の下側には、プラテンガラス及びイメージセンサが設けられている。スキャン部２０２では、プラテンガラスに載置された原稿、又はＡＤＦにより搬送される原稿の画像がイメージセンサによって読み取られる。
【００４２】
複合機２００の正面上部には、操作パネル２０４が設けられている。操作パネル２０４は、各種情報を表示する液晶ディスプレイ、ユーザが情報を入力する入力キー等から構成される。なお、図１では、液晶ディスプレイや入力キー等が省略されている。複合機２００は、この操作パネル２０４からの操作入力、又は外部情報装置から送信される情報に基づいて動作する。
【００４３】
＜給紙カセット１５０＞
図２に示されるように、給紙カセット１５０は、給紙トレイ１６０（本発明の第１トレイの一例）及び排紙トレイ１８０（本発明の第２トレイの一例）を有する。給紙カセット１５０は、排紙トレイ１８０を給紙トレイ１６０の上側として給紙トレイ１６０及び排紙トレイ１８０が上下二段に配置されたものである。排紙トレイ１８０は、給紙トレイ１６０の蓋として給紙トレイ１６０と一体的に設けられている。給紙カセット１５０が開口２０６を通じてプリント部２０１内に挿入されることにより、給紙トレイ１６０及び排紙トレイ１８０が装置本体２０５の開口２０６内に配置される。
【００４４】
給紙トレイ１６０は、画像記録に使用される記録用紙２４７を収容する。給紙トレイ１６０には、日本工業規格に規定される各種サイズの記録用紙２４７が収容される。各種サイズとしては、Ａ４サイズ、Ｂ５サイズ、Ａ５サイズ、はがきサイズ等が挙げられる。記録用紙２４７は、給紙トレイ１６０から搬送路２２３（図３参照）に沿って搬送される過程で記録部２２４（図３参照）により画像が記録されてプリント部２０１内に胴内排出される。排紙トレイ１８０は、この画像が記録された記録用紙２４７を収容する。
【００４５】
本実施形態においては、給紙トレイ１６０には、少なくともサイズの異なる２種類の記録用紙２４７が収容される。２種類の記録用紙２４７は、大サイズ用紙２５０（本発明における第１サイズの被記録媒体の一例、図２参照）、及び小サイズ用紙２５１（本発明における第２サイズの被記録媒体の一例、図５参照）である。小サイズ用紙２５１は、大サイズ用紙２５０よりもサイズの小さい記録用紙である。大サイズ用紙２５０としては、例えばＡ４サイズの記録用紙２４７が挙げられる。小サイズ用紙２５１としては、例えば、はがきサイズの記録用紙２４７が挙げられる。図２には、Ａ４サイズの大サイズ用紙２５０が収容された給紙カセット１５０が示されている。また、図５には、はがきサイズの記録用紙２４７が収容された給紙カセット１５０が示されている。なお、大サイズ用紙２５０及び小サイズ用紙２５１のサイズはこれに限定されるものではない。すなわち、少なくとも大サイズ用紙２５０のサイズが小サイズ用紙２５１のサイズよりも大きければ、例えば大サイズ用紙２５０がＢ５サイズであり、小サイズ用紙２５１がＡ５サイズであってもよい。要するに、大サイズ用紙２５０のサイズが小サイズ用紙２５１のサイズよりも大きければ、大サイズ用紙２５０及び小サイズ用紙２５１のサイズは任意である。
【００４６】
図３は、プリント部２０１の内部構造を示す模式図である。なお、図３においては、給紙トレイ１６０の一部及び排紙トレイ１８０の一部が省略されている。
【００４７】
給紙トレイ１６０は、プリント部２０１の底側に配置される（図９参照）。給紙トレイ１６０に収容された記録用紙２４７は、プリント部２０１の内部へ供給される。給紙トレイ１６０の奥側（図３における右側）には、傾斜板２２２が設けられている（図２及び図３参照）。図３に示されるように、傾斜板２２２は、装置背面側（図３における右側）へ倒れるように傾斜している。傾斜板２２２は、給紙トレイ１６０から記録用紙２４７を分離して上方へ案内するものである。傾斜板２２２の上方には搬送路２２３が設けられている。搬送路２２３は、記録用紙２４７が搬送される経路であり、その一部が湾曲形成されている。具体的には、搬送路２２３は、傾斜板２２２から上方へ向かった後、複合機２００の正面１５６側（図３における左側）へ曲がって正面１５６側へと延び、記録部２２４を通過して排紙トレイ１８０へ通じている。なお、傾斜板２２２は、図３を除く他の図面では簡略化のために直立した状態で示されているが、実際には上述のように装置背面側へ傾斜されている。
【００４８】
＜搬送部２３０＞
搬送部２３０（本発明の搬送部の一例）は、給紙トレイ１６０から記録用紙２４７を搬送して排紙トレイ１８０上に排出するものである。搬送部２３０は、給紙ローラ２３１、搬送ローラ２３３、及び排紙ローラ２３５を有して構成されている。給紙ローラ２３１は、給紙トレイ１６０から搬送路２２３へ記録用紙２４７を供給するものである。搬送ローラ２３３及び排紙ローラ２３５は、給紙トレイ１６０から供給された記録用紙２４７を搬送路２２３に沿って搬送するものである。
【００４９】
図３に示されるように、給紙トレイ１６０の上側に給紙ローラ２３１が設けられている。給紙ローラ２３１は、湾曲形成された搬送路２２３よりも記録用紙２４７の搬送方向２１７の上流側（以下、単に「上流側」とも称される。）に設けられている。給紙ローラ２３１は、給紙トレイ１６０に積載された記録用紙２４７に圧接して記録用紙２４７を傾斜板２２２へ供給する。給紙ローラ２３１は、アーム２２６の先端に回転可能に支持されている。アーム２２６には、複数のギヤが噛合されてなる動力伝達機構が設けられている。給紙ローラ２３１は、動力伝達機構を介してＬＦモータ（不図示）から駆動力が伝達されて回転される。
【００５０】
アーム２２６は、軸２２８を回転軸として、給紙ローラ２３１側が給紙トレイ１６０に接離可能に上下動される。アーム２２６は、自重により或いはバネ等により給紙トレイ１６０側へ付勢されている。これにより、給紙トレイ１６０に記録用紙２４７が収容されている場合に、給紙ローラ２３１が給紙トレイ１６０における最上位置の記録用紙２４７に圧接される。なお、給紙カセット１５０が開口２０６から挿抜される際には、アーム２２６が上側に退避される。
【００５１】
給紙ローラ２３１は、給紙トレイ１６０上の記録用紙２４７の表面に圧接された状態でＬＦモータから駆動力が伝達されて回転する。これにより、給紙ローラ２３１のローラ面と記録用紙２４７との間の摩擦力によって最上位置の記録用紙２４７が傾斜板２２２へ向けて送り出される。記録用紙２４７は、その先端が傾斜板２２２に当接して上方へ、つまり搬送路２２３へ案内される。
【００５２】
図３に示されるように、搬送路２２３における記録部２２４の上流側には、搬送ローラ２３３が設けられている。搬送路２２３を挟んで搬送ローラ２３３と対向する位置には、ピンチローラ２３４が設けられている。ピンチローラ２３４は、搬送ローラ２３３に圧接可能に付勢されている。記録用紙２４７は、給紙ローラ２３１により搬送路２２３へ供給されると、搬送ローラ２３３とピンチローラ２３４との間へ進入する。その際、ピンチローラ２３４は記録用紙２４７の厚み分だけ退避して記録用紙２４７を搬送ローラ２３３とともに挟持する。搬送ローラ２３３は、ＬＦモータから駆動力が伝達されて回転される。搬送ローラ２３３の回転力が記録用紙２４７に伝達され、記録用紙２４７がプラテン２４２上へ搬送される。
【００５３】
図３に示されるように、搬送路２２３における記録部２２４よりも記録用紙２４７の搬送方向２１７の下流側（以下、単に「下流側」とも称される。）には、排紙ローラ２３５が設けられている。搬送路２２３を挟んで排紙ローラ２３５と対向する位置には、拍車２３６が設けられている。拍車２３６は、排紙ローラ２３５に圧接されている。記録用紙２４７は、プラテン２４２を通過する過程で記録部２２４によって画像が記録される。この記録用紙２４７が排紙ローラ２３５と拍車２３６との間へ進入すると、記録用紙２４７は排紙ローラ２３５及び拍車２３６により挟持される。ＬＦモータからの駆動力は、搬送ローラ２３３と共に排紙ローラ２３５にも伝達される。これにより、搬送ローラ２３３及び排紙ローラ２３５は、所定の改行幅で間欠駆動される。搬送ローラ２３３及び排紙ローラ２３５の回転は同期されている。画像が記録された記録用紙２４７は、搬送ローラ２３３、ピンチローラ２３４、排紙ローラ２３５、拍車２３６によって開口２０６（図１参照）へ向けて搬送され、排紙トレイ１８０上に排出される。図には示されていないが、記録部２２４の上方には、スキャン部２０２（図１参照）が設けられている。スキャン部２０２と排紙トレイ１８０との間には、空間２６０（図９参照）が設けられている。画像が記録された記録用紙２４７は、搬送路２２３からこの空間２６０に排出されて排紙トレイ１８０に収容される。
【００５４】
＜記録部２２４＞
記録部２２４は、図３に示されるように、搬送路２２３の途中に設けられている。記録部２２４は、記録用紙２４７の搬送過程でその記録用紙２４７に画像を記録するものである。具体的には、記録部２２４は、搬送部２３０により搬送路２２３に沿ってプラテン２４２上を搬送される記録用紙２４７にインクを吐出して画像を記録するものである。この記録部２２４は、キャリッジ２１８及び記録ヘッド２１９を有して構成されている。
【００５５】
キャリッジ２１８は、搬送方向２１７と略直交する方向（図３における紙面垂直方向：以下、「主走査方向」とも称される。）へ往復移動が可能に構成されている。キャリッジ２１８は、周知のベルト駆動機構によって所定のタイミングで往復移動される。このキャリッジ２１８には、記録ヘッド２１９が搭載されている。このため、記録ヘッド２１９は、キャリッジ２１８と共に主走査方向へ往復移動される。
【００５６】
記録ヘッド２１９には、インクカートリッジ２１２（図１参照）からインクチューブを通じてインクが供給される。記録ヘッド２１９は、インクをプラテン２４２へ向けて微小なインク滴として選択的に吐出する。記録用紙２４７は、搬送部２３０によりプラテン２４２上を搬送される。記録ヘッド２１９は、この搬送過程においてキャリッジ２１８の往復移動により主走査方向へ走査されながらインク滴を選択的に吐出する。これにより、プラテン２４２上を通過する記録用紙２４７に画像が記録される。
【００５７】
以下に、給紙トレイ１６０及び排紙トレイ１８０の構成が詳細に説明される。
【００５８】
図２に示されるように、給紙カセット１５０は、大別して、給紙トレイ１６０と排紙トレイ１８０とを備える。排紙トレイ１８０は、給紙トレイ１６０の上部に回転可能に支持されている。排紙トレイ１８０は、記録用紙２４７の搬送方向２１７（図３参照）と略直交する水平方向１５２（図２参照）を軸として、上側へ回動可能に構成されている。なお、図２における矢印１５４の方向と図３における搬送方向２１７は同一方向である。給紙トレイ１６０に対して排紙トレイ１８０が倒伏されることにより、給紙トレイ１６０の上面が排紙トレイ１８０に覆われる（図２参照）。この状態で、排紙トレイ１８０は、画像が記録された記録用紙２４７を保持するとともに給紙トレイ１６０の蓋として機能する（図７及び図８参照）。その結果、給紙トレイ１６０へのゴミの進入が防止される。また、給紙トレイ１６０に対して排紙トレイ１８０が起立されることによって給紙トレイ１６０の上面が開放され、給紙トレイ１６０への記録用紙２４７の補充が可能となる。なお、給紙トレイ１６０の奥側における上方は、図３に示される給紙ローラ２３１及びアーム２２６が配置されるために開放されている。
【００５９】
図４は、給紙カセット１５０の内部構造を示す縦断面図であり、記録用紙２４７として給紙トレイ１６０に大サイズ用紙２５０が収容された状態を示す。図５は、給紙カセット１５０の外観構成を示す概略斜視図であり、記録用紙２４７として給紙トレイ１６０に小サイズ用紙２５１が収容された状態を示す。図６は、給紙カセット１５０の内部構造を示す縦断面図であり、記録用紙２４７として給紙トレイ１６０に小サイズ用紙２５１が収容された状態を示す。
【００６０】
＜給紙トレイ１６０＞
給紙トレイ１６０は、水平方向１５２を短手方向とする矩形状に形成されている。給紙トレイ１６０の先端に傾斜板２２２が設けられている。傾斜板２２２は、給紙トレイ１６０の幅方向（水平方向１５２）に長い板状部材である。傾斜板２２２は、装置背面側（図４及び図６における右側）へ傾倒している（図３参照）。したがって、傾斜板２２２に記録用紙２４７（大サイズ用紙２５０又は小サイズ用紙２５１）の先端が当接すると、その先端が傾斜板２２２の内側面に沿って斜め上方へ案内される。すなわち、傾斜板２２２の内側面は、記録用紙２４７を搬送路２２３へ案内するガイド面の役割を担う。
【００６１】
図２及び図５に示されるように、給紙トレイ１６０には、給紙トレイ１６０の壁面を構成する側壁１６７及び前壁１６８が設けられている。側壁１６７は、給紙トレイ１６０の幅方向の両側に設けられている。前壁１６８は、給紙トレイ１６０における開口２０６（矢印１５４で示される方向）側の端部に設けられている。側壁１６７及び前壁１６８は、給紙トレイ１６０の底から上方へ垂直に起立している。排紙トレイ１８０のトレイ本体１８１は、給紙トレイ１６０に対して倒伏されることによって側壁１６７及び前壁１６８に支持される。なお、給紙トレイ１６０は、後述のサブトレイ１８３が給紙トレイ１６０側へ回動するように、２つの前壁１６８の間には壁面が設けられていない（図２、図４〜６参照）。
【００６２】
図４及び図６に示されるように、給紙トレイ１６０における開口２０６側（図中の左側）には、凸部１６４が設けられている。凸部１６４は、給紙トレイ１６０の底から上方へ垂直に起立している。凸部１６４は、給紙トレイ１６０側へ移動されたサブトレイ１８３を支持するものである（図６参照）。このため、凸部１６４は、サブトレイ１８３の裏面に設けられた凸部１８５と対応する位置に設けられている。凸部１６４は、給紙トレイ１６０側へ回動されたサブトレイ１８３を支持するものである。この凸部１６４は、その高さが前壁１６８よりも低くなるように設定されている。これにより、サブトレイ１８３の後端部１９６が給紙トレイ１６０側へ充分に回動した状態で凸部１６４に支持される。
【００６３】
＜サイドガイド１６３＞
給紙トレイ１６０には、サイドガイド１６３が設けられてる。サイドガイド１６３は、矢印１５４で示される方向を長手方向とする板状部材であって、水平方向１５２における縦断面が略Ｌ字形に形成されている。図４に示されるように、サイドガイド１６３は、開口２０６側（図４における左側）の端部が凹部１８６の端部よりも開口２０６側に位置しないようにその長さが設定されている。このため、サブトレイ１８３が給紙トレイ１６０側へ回動した際に、サイドガイド１６３がサブトレイ１８３に干渉することがない。サイドガイド１６３は、給紙トレイ１６０に収容された記録用紙２４７が水平方向１５２へ移動することを規制するものである。換言すれば、サイドガイド１６３は、給紙トレイ１６０に収容された記録用紙２４７の幅方向の位置を規制するものである。サイドガイド１６３は、給紙トレイ１６０の幅方向（水平方向１５２）へスライド可能に設けられている。記録用紙２４７の幅方向の両側に当接するように、記録用紙２４７のサイズに応じてサイドガイド１６３がスライドされる。これにより、給紙トレイ１６０に載置された記録用紙２４７の幅方向の位置が予め定められた基準位置（本実施形態においては給紙トレイ１６０の幅方向の中央）に略一致する。このように、記録用紙２４７の幅方向の中央位置を基準位置に一致させるように記録用紙２４７を規制することは、一般にセンターレジと呼ばれている。なお、図２には、サイドガイド１６３が給紙トレイ１６０の幅方向の外側へ移動された状態が示されている。また、図５には、サイドガイド１６３が給紙トレイ１６０の幅方向の内側へ移動された状態が示されている。
【００６４】
図には示されていないが、サイドガイド１６３には、幅方向中央側へ延出されたラックギヤが設けられている。ラックギヤは、給紙トレイ１６０の幅方向中央に埋設されたピニオンギヤに噛合されている。２つのサイドガイド１６３のうちいずれか一方が水平方向１５２へスライドされると、他方が連動して相反する方向へスライドされる。したがって、給紙トレイ１６０に載置された記録用紙２４７の幅がサイドガイド１６３の離間距離よりも短い場合は、サイドガイド１６３の一方をスライドさせることによって２つのサイドガイド１６３それぞれが同時に移動される。これにより、記録用紙２４７の幅方向の中央位置が上記基準位置に略一致する。すなわち、給紙トレイ１６０に収容された記録用紙２４７が大サイズ用紙２５０である場合も小サイズ用紙２５１である場合も、これらの記録用紙２４７の幅方向の中央位置は上記基準位置に略一致する。
【００６５】
＜リヤガイド１６５＞
図４及び図６に示されるように、給紙トレイ１６０には、第１実施形態における本発明の位置決め部材としてのリヤガイド１６５（本発明の第１規制部材の一例）が設けられてる。リヤガイド１６５は、水平方向１５２を長手方向とする板状部材であって、矢印１５４で示される方向における縦断面が略Ｌ字形に形成されている。リヤガイド１６５は、給紙トレイ１６０に収容された記録用紙２４７が開口２０６側（矢印１５４で示される方向）へ移動することを規制するものである。換言すれば、リヤガイド１６５は、給紙トレイ１６０に収容された記録用紙２４７の後端に当接してその後端位置を規制するものである。図には示されていないが、給紙トレイ１６０の底面には、給紙トレイ１６０の長手方向（図４及び図６における左右方向）へ延びるスリットが設けられている。リヤガイド１６５は、このスリットに挿入されており、これによりスリットに沿ってスライド可能に構成されている。このリヤガイド１６５は、その上端が凸部１６４よりも排紙トレイ１８０側（上側）に位置するようにその高さが設定されている。これにより、リヤガイド１６５が第１位置に配置された状態（図４に示される状態）では、リヤガイド１６５がサブトレイ１８３の凸部１８５に当接してサブトレイ１８３を支持する。
【００６６】
リヤガイド１６５が記録用紙２４７の後端へ向けてスライドされると、記録用紙２４７の後端がリヤガイド１６５のガイド面に当接する（図４及び図６参照）。これにより、記録用紙２４７の後端が揃えられる。図４及び図６に示されるように、記録用紙２４７は、その後端がリヤガイド１６５に当接するように給紙トレイ１６０に収容される。これにより、記録用紙２４７は、その先端が記録用紙２４７のサイズに関わらず給紙トレイ１６０内の所定位置に位置決めされる。
【００６７】
＜第１位置と第２位置＞
リヤガイド１６５は、第１位置と第２位置との間を移動可能に構成されている。図４に示されるように、第１位置は、大サイズ用紙２５０を給紙トレイ１６０に対して位置決めする位置である。大サイズ用紙２５０は、第１位置に配置されたリヤガイド１６５にその後端が規制されることにより、その先端が傾斜板２２２に当接するように位置決めされる。図６に示されるように、第２位置は、小サイズ用紙２５１を給紙トレイ１６０に対して位置決めする位置である。小サイズ用紙２５１は、第２位置に配置されたリヤガイド１６５にその後端が規制されることにより、その先端が傾斜板２２２に当接するように位置決めされる。リヤガイド１６５は、給紙トレイ１６０に収容される記録用紙２４７のサイズに応じてスライドされ、第１位置又は第２位置に配置される。これにより、記録用紙２４７は、そのサイズに関わらずその先端が傾斜板２２２に当接する位置に位置決めされる。
【００６８】
＜排紙トレイ１８０＞
図２、図４〜図６に示されるように、排紙トレイ１８０は、トレイ本体１８１（本発明のトレイ本体の一例）、及びトレイ本体１８１の切り欠き部１８９に配置されたサブトレイ１８３（本発明のサブトレイの一例）を有して構成されている。
【００６９】
＜トレイ本体１８１＞
トレイ本体１８１は、その開口２０６側（矢印１５４で示される方向側）の一部が切り欠かれることにより平面視が略凹形状となるように形成されている（図２及び図５参照）。図には示されていないが、トレイ本体１８１には軸が設けられている。この軸は、トレイ本体１８１の先端１８７における幅方向（水平方向１５２）の両端に設けられている。この軸が給紙トレイ１６０の側壁１６７に設けられた軸受け孔（不図示）に挿入されることにより、トレイ本体１８１が給紙トレイ１６０の幅方向を軸として、その上方で回動可能に支持される。なお、トレイ本体１８１の幅は、側壁１６７間の離間距離と略等しく設定されている。このため、給紙トレイ１６０に対してトレイ本体１８１が倒伏された状態でトレイ本体１８１が側壁１６７に安定的に支持される。
【００７０】
＜サブトレイ１８３＞
サブトレイ１８３は、平面視が切り欠き部１８９と略同形状で、且つ切り欠き部１８９よりも若干小さく形成されている。サブトレイ１８３は、水平方向１５２におけるその幅が小サイズ用紙２５１の幅よりも広くなるように設定されている（図８参照）。サブトレイ１８３がトレイ本体１８１の切り欠き部１８９に配置される（図２参照）。サブトレイ１８３における水平方向１５２の端部には、サブトレイ１８３の幅方向外側へ突出する軸１８４が設けられている（図２参照）。図には示されていないが、トレイ本体１８１には、軸１８４に対応する位置に軸１８４を回転自在に支持する軸受け孔が設けられている。サブトレイ１８３は、軸１８４がこの軸受け孔に支持されることにより、給紙トレイ１６０側へ回動可能にトレイ本体１８１に設けられている。なお、図５では軸１８４が省略されている。
【００７１】
図４及び図６に示されるように、サブトレイ１８３の裏面には、凹部１８６が設けられている。凹部１８６は、サブトレイ１８３の先端側（図４及び図６における右側）がサブトレイ１８３の上面側へ凹むように形成されている。これにより、サブトレイ１８３が給紙トレイ１６０側へ回動された状態において、第２位置に配置されたリヤガイド１６５は、この凹部１８６にその一部が収容される（図６参照）。サブトレイ１８３の裏面には、凸部１８５が設けられている。凸部１８５は、サブトレイ１８３の後端側（図４及び図６における右側）において給紙トレイ１６０側へ突出するように形成されている。この凸部１８５は、給紙トレイ１６０に設けられた凸部１６４と対向する位置に設けられている。
【００７２】
上記構成により、排紙トレイ１８０は、サブトレイ１８３が第１姿勢と第２姿勢との間で姿勢変化可能に構成されている。第１姿勢は、サブトレイ１８３の後端部１９６（本発明における開口側の端部に相当する）における上面１９３が所定の高さに支持された状態である（図２参照）。この第１姿勢では、後端部１９６の上面１９３がトレイ本体１８１の上面１９１と略同じ高さとなる。すなわち、上面１９３と上面１９１とが同一平面を形成する。第２姿勢は、第１姿勢に対してサブトレイ１８３の後端部１９６における上面１９３が給紙トレイ１６０側へ移動された状態である（図５参照）。
【００７３】
＜第１姿勢＞
大サイズ用紙２５０を給紙トレイ１６０に収容する場合、リヤガイド１６５が第１位置に配置される（図４参照）。この状態では、図４に示されるように、サブトレイ１８３の凸部１８５がリヤガイド１６５の上面に当接してサブトレイ１８３がリヤガイド１６５に支持される。これにより、サブトレイ１８３は、後端部１９６の給紙トレイ１６０側への回動が規制されて、第１姿勢に維持される。このように、リヤガイド１６５が第１位置に配置された状態では、サブトレイ１８３の第１姿勢から第２姿勢への姿勢変化が規制される。
【００７４】
＜第２姿勢＞
小サイズ用紙２５１を給紙トレイ１６０に収容する場合、第１位置に配置されたリヤガイド１６５は、第２位置へスライド移動される（図４及び図６参照）。このリヤガイド１６５の移動に伴ってリヤガイド１６５によるサブトレイ１８３の支持が解除される。サブトレイ１８３は、軸１８４のみがトレイ本体１８１に回動可能に支持されている。また、サブトレイ１８３の裏面に、第２位置に配置されたリヤガイド１６５を収容可能な凹部１８６が設けられている。このため、サブトレイ１８３は、サブトレイ１８３の重量によって給紙トレイ１６０側へ回動される。サブトレイ１８３が給紙トレイ１６０側へ回動されることにより、図６に示されるように、凸部１８５が凸部１６４に当接する。その結果、サブトレイ１８３は、給紙トレイ１６０の凸部１６４に支持された第２姿勢となる。このように、排紙トレイ１８０のサブトレイ１８３は、リヤガイド１６５が第２位置に配置されることにより、サブトレイ１８３の重量によって第１姿勢から第２姿勢へ姿勢変化される。この姿勢変化に伴って、上面１９３は、サブトレイ１８３が第１姿勢に維持されていたときに比べて給紙トレイ１６０側へ移動される（図２及び図５）。
【００７５】
＜本実施形態の作用効果＞
図７は、排紙トレイ１８０に大サイズ用紙２５０が排出された給紙カセット１５０を示す概略斜視図である。図８は、排紙トレイ１８０に小サイズ用紙２５１が排出された給紙カセット１５０を示す概略斜視図である。図９は、給紙カセット１５０の縦断面図であり、（Ａ）はサブトレイ１８３が第１姿勢に維持された状態、（Ｂ）はサブトレイ１８３が第２姿勢に維持された状態を示す。
【００７６】
例えば、複合機２００において原稿の読取開始が指示されると、スキャン部２０２により原稿の画像が読み取られる。プリント部２０１は、この原稿の画像に基づいて印刷処理を実行する。この印刷処理は、以下のように行われる。すなわち、ＬＦモータの駆動力が図３に示される給紙ローラ２３１、搬送ローラ２３３、及び排紙ローラ２３５に選択的に伝達される。これにより、給紙トレイ１６０に収容されている記録用紙２４７が搬送路２２３に沿って搬送される。記録用紙２４７は、その搬送過程で記録部２２４により画像が記録され、開口２０６へ向けて空間２６０に排出される（図９参照）。
【００７７】
図７及び図９（Ａ）に示されるように、記録用紙２４７として大サイズ用紙２５０が排紙トレイ１８０に排出される場合、記録用紙２５０はその一部が開口２０６の外側へ露出された状態で排紙トレイ１８０に収容される。したがって、ユーザは、排紙トレイ１８０に収容された大サイズ用紙２５０を排紙トレイ１８０から容易に取り出すことができる。
【００７８】
リヤガイド１６５が第１位置に配置された状態では、リヤガイド１６５によりサブトレイ１８３の後端部１９６の回動が規制されており、サブトレイ１８３が第１姿勢に維持される。リヤガイド１６５が第２位置に配置されることによって、サブトレイ１８３が給紙トレイ１６０側へ回動可能となる。記録用紙２４７として小サイズ用紙２５１が排紙トレイ１８０に排出される場合、図８及び図９（Ｂ）に示されるように、記録用紙２５１は、開口２０６の奥側に排出される。排紙トレイ１８０は、リヤガイド１６５が第２位置に配置されることによって給紙トレイ１６０内へ回動されている。これにより、排紙トレイ１８０上の空間が切り欠き部１８９の下方へ拡張される。換言すれば、排紙トレイ１８０に排出された小サイズ用紙２５１を取り出すためにユーザが手を入れるための空間が下方に拡張される。
【００７９】
図９（Ａ）及び（Ｂ）に示されるように、サブトレイ１８３が第１姿勢のときにＨ１であった開口２０６における空間の高さが、サブトレイ１８３が第２姿勢に姿勢変化されることによってＨ２となる。このため、ユーザが開口２０６のより奥まで手を入れることが可能となり、排紙トレイ１８０上に排出された記録用紙２４７が小サイズ用紙２５１であっても、ユーザは、排紙トレイ１８０から小サイズ用紙２５１を容易に取り出すことができる。したがって、ユーザが排紙トレイ１８０から記録用紙２４７を取り出しにくくなるといった不利益を被ることなく、開口２０６の高さを低くしてスキャナ及びプリンタが上下二段に設けられた装置の薄型化を図ることができる。なお、複合機２００がプリント機能のみを有する単機能のプリンタである場合も同様の効果が奏される。
【００８０】
記録用紙２４７として小サイズ用紙２５１を使用する場合、小サイズ用紙２５１は、サブトレイ１８３が給紙トレイ１６０側へ回動された状態で排紙トレイ１８０へ排出される。水平方向１５２（図９の紙面垂直方向）におけるサブトレイ１８３の幅が小サイズ用紙２５１の幅よりも広い。また、給紙トレイ１６０に収容された小サイズ用紙２５１がサイドガイド１６３によってセンターレジされているので、画像が記録された小サイズ用紙２５１は、排紙トレイ１８０の水平方向１５２における略中央に排出される。このため、小サイズ用紙２５１の両側がトレイ本体１８１には支持されずサブトレイ１８３のみに支持される。これにより、排出された小サイズ用紙２５１は、傾斜されたサブトレイ１８３に沿って開口２０６側へスライドされる。その結果、小サイズ用紙２５１の取り出しがさらに容易となる。
【００８１】
また、リヤガイド１６５が第２位置に配置された状態（図６参照）では、サブトレイ１８３がその重量によって第２姿勢に維持される。すなわち、小サイズ用紙２５１を給紙トレイ１６０に収容する場合には、サブトレイ１８３の後端部１９６が常に給紙トレイ１６０側へ移動した状態となる。これにより、大サイズ用紙２５０が排出される場合に比べて、装置本体２０５の外部からの開口２０６内の視認性が向上する。その結果、開口２０６内の奥に排出された小サイズ用紙２５１が排紙トレイ１８０に収容されていることを、ユーザが開口２０６内をのぞき込むことなく容易に確認することが可能となる。また、サブトレイ１８３が記録用紙２４７のサイズに対応しない姿勢になることがない。すなわち、給紙トレイ１６０に大サイズ用紙２５０が収容された状態では、第１位置に配置されたリヤガイド１６５によってサブトレイ１８３が第１姿勢に維持される。また、給紙トレイ１６０に小サイズ用紙２５１が収容された状態では、リヤガイド１６５が第２位置に配置されているのでサブトレイ１８３が第２姿勢に維持される。このため、ユーザは、記録用紙２４７のサイズをサブトレイ１８３の姿勢から判断することができる。
【００８２】
なお、サブトレイ１８３は、サブトレイ１８３が第２姿勢から第１姿勢へ姿勢変化するようにバネ（本発明の弾性部材の一例）を備えていてもよい。例えば、サブトレイ１８３の軸１８４にネジリコイルバネを設ける。この場合、サブトレイ１８３はネジリコイルバネの弾性力によって第１姿勢に維持されているので、外力が加えられることによって第１姿勢から第２姿勢へ姿勢変化する。サブトレイ１８３が第２姿勢側から第１姿勢側へ弾性付勢されているので、外力が除かれることによりサブトレイ１８３が第１姿勢側へ戻される。このため、ユーザによってサブトレイ１８３が押し下げられた場合のみサブトレイ１８３が第２姿勢となり、それ以外の状態において給紙トレイ１６０の上面が閉塞されて給紙トレイ１６０内へゴミが進入することが防止される。
【００８３】
［第２実施形態］
以下に、本発明の第２実施形態が説明される。第２実施形態に係る複合機２００は、給紙カセット１５０の構成が一部異なるほかは、第１実施形態と同様の構成である。このため、給紙カセット１５０以外の構成の説明は省略される。なお、第１実施形態ではリヤガイド１６５が本発明の位置決め部材として機能したのに対し、第２実施形態ではサイドガイド２６３が本発明の位置決め部材として機能する。
【００８４】
図１０は、給紙カセット１５０の外観構成を示す概略斜視図であり、サブトレイ２５６が第１姿勢に維持された状態を示す。図１１は、給紙カセット１５０の概略平面図である。図１２は、図１１における給紙カセット１５０のＸＩＩ−ＸＩＩ線断面図であり、サブトレイ２５６が第１姿勢に維持された状態を示す。図１３は、図１１における給紙カセット１５０のＸＩＩＩ−ＸＩＩＩ線断面図であり、サブトレイ２５６が第１姿勢に維持された状態を示す。図１４は、図１１における給紙カセット１５０のＸＩＶ−ＸＩＶ線断面図であり、サブトレイ２５６が第１姿勢に維持された状態を示す。図１５は、給紙カセット１５０の外観構成を示す概略斜視図であり、サブトレイ２５６が第２姿勢に維持された状態を示す。図１６は、図１１における給紙カセット１５０のＸＩＩ−ＸＩＩ線断面図であり、サブトレイ２５６が第２姿勢に維持された状態を示す。図１７は、図１１における給紙カセット１５０のＸＩＩＩ−ＸＩＩＩ線断面図であり、サブトレイ２５６が第２姿勢に維持された状態を示す。図１８は、図１１における給紙カセット１５０のＸＩＶ−ＸＩＶ線断面図であり、サブトレイ２５６が第２姿勢に維持された状態を示す。なお、図１０及び図１５では、トレイ本体２５４（図１１及び図１４参照）が省略されている。
【００８５】
＜サイドガイド２６３＞
給紙トレイ１６０には、第２実施形態における本発明の位置決め部材としてのサイドガイド２６３（本発明の第２規制部材の一例）が設けられている。サイドガイド２６３は、サイドガイド１６３と同様に、給紙トレイ１６０に収容された記録用紙２４７が水平方向１５２へ移動することを規制するものである。換言すれば、サイドガイド２６３は、給紙トレイ１６０に収容された記録用紙２４７の幅方向の位置を規制するものである。サイドガイド２６３は、給紙トレイ１６０の幅方向（水平方向１５２）へスライド可能に設けられている。
【００８６】
記録用紙２４７の幅方向の両側に当接するように、記録用紙２４７のサイズに応じてサイドガイド２６３がスライドされる。これにより、給紙トレイ１６０に載置された記録用紙２４７の幅方向の位置が予め定められた基準位置（本実施形態においては給紙トレイ１６０の幅方向の中央）に略一致する。図１２に示されるように、サイドガイド２６３は、サイドガイド１６３よりも開口２０６側（矢印１５２で示される方向）へ長いものである。具体的には、サイドガイド２６３は、傾斜板２２２から開口２０６側へアーム２６９，２７０の下方まで延設されている（図１３及び図１７参照）。このため、後述のアーム２６９，２７０は、サイドガイド２６３が第１位置に配置された状態においてサイドガイド２６３に下方から支持される（図１４参照）。なお、このサイドガイド２３６は、第２位置に配置された状態においては、アーム２６９，２７０に代わってサブトレイ本体２６７を下方から支持する（図１８参照）。
【００８７】
＜サブトレイ２５６＞
図１０、図１１、及び図１５に示されるように、サブトレイ２５６は、サブトレイ本体２６７の幅方向（水平方向１５２）の両側面からアーム２６９，２７０が延設されたものである。
【００８８】
サブトレイ本体２６７は、図１２、図１４、図１６、及び図１８に示されるように、その裏面側に凹部２５９が形成されている。凹部２５９は、サブトレイ本体２６７の長手方向（矢印１５４で示される方向）に長い矩形状に形成されている。凹部２５６は、その先端側が開放されている。給紙トレイ１６０に小サイズ用紙２５１が収容される場合、サブトレイ２５６は、サブトレイ本体２５７の凹部２５９がサイドガイド２６３により下方から支持される（図１８参照）。なお、図１２及び図１６に示されるように、サブトレイ本体２６７にはサブトレイ１８３に設けられていた凸部１８５（図４参照）は設けられていない。このため、サブトレイ２５６が給紙トレイ１６０側へ回動されたとしてもサブトレイ２５６がリヤガイド１６５に当接することはない。アーム２６９，２７０は、サブトレイ本体２６７の幅方向に長い略矩形状に形成されている。アーム２６９，２７０は、第１位置に配置されたサイドガイド２６３よりも水平方向１５２の外側へ延びるようにサブトレイ本体２６７に設けられている。このため、第１位置に配置されたサイドガイド２６３によりアーム２６９，２７０が支持される（図１４参照）。
【００８９】
＜トレイ本体２５４＞
図１１に示されるように、トレイ本体２５４は、平面視がトレイ本体１８１（図２参照）と略同形状のものである。図１３、図１４、図１７、及び図１８に示されるように、トレイ本体２５４は、その裏面側に凹部２７２が形成されている。凹部２７２は、トレイ本体２５４の長手方向に長い矩形状に形成されている。図１１、図１４、及び図１８に示されるように、トレイ本体２５４は、その幅方向（水平方向１５２）の両側からトレイ本体２５４の下方へ突出する側壁２８７が設けられている。また、図１１、図１３、及び図１７に示されるように、トレイ本体２５４は、その開口２０６側（矢印１５４で示される方向）の端部（後端部１９５）からトレイ本体２５４の下方へ突出する前壁２８８が設けられている。トレイ本体２５４は、給紙トレイ１６０に対して倒伏された状態、側壁２８７が側壁１６７（図１０参照）に支持されるとともに前壁２８８が前壁１６８に支持される。このトレイ本体２５４は、トレイ本体２５４の中央側（切り欠き部１６９（図１１参照）側）には壁面が設けられていない。このため、凹部２７２には、図１４に示されるように、サブトレイ２５６が第１姿勢に維持された状態（図１０及び図１２参照）において、アーム２６９，２７０の一部が収容される。
【００９０】
＜第１位置と第２位置＞
サイドガイド２６３は、第１位置（図１０及び図１４参照）と第２位置（図１５及び図１８参照）との間を移動可能に構成されている。図１０及び図１４に示されるように、第１位置は、大サイズ用紙２５０を給紙トレイ１６０に対して位置決めする位置である。大サイズ用紙２５０は、第１位置に配置されたサイドガイド２６３に幅方向の両側が規制される。これにより、大サイズ用紙２５０の幅方向の位置が予め定められた基準位置（本実施形態においては給紙トレイ１６０の幅方向の中央）に略一致する。図１５及び図１８に示されるように、第２位置は、小サイズ用紙２５１を給紙トレイ１６０に対して位置決めする位置である。小サイズ用紙２５１は、第２位置に配置されたサイドガイド２３６に幅方向の両側が規制される。これにより、小サイズ用紙２５１の幅方向の位置が上記基準位置に略一致する。サイドガイド２６３は、給紙トレイ１６０に収容される記録用紙２４７のサイズに応じて第１位置又は第２位置に配置される。これにより、記録用紙２４７は、そのサイズに関わらずその幅方向の位置が給紙トレイ１６０の幅方向の中央に位置決めされる。
【００９１】
本実施形態における排紙トレイ１８０は、サブトレイ２５６が第１姿勢と第２姿勢との間で姿勢変化可能に構成されている。第１姿勢は、サブトレイ２５６の後端部１９６における上面１９３が所定の高さに支持された状態である（図１０、図１２、及び図１４参照）。この第１姿勢では、図１４に示されるように、後端部１９６の上面１９３がトレイ本体２５４の上面１９１と略同じ高さとなる。すなわち、上面１９３と上面１９１とが同一平面を形成する。第２姿勢は、第１姿勢に対してサブトレイ２５６の後端部１９６における上面１９３が給紙トレイ１６０側へ移動された状態である（図１５、図１６、及び図１８参照）。
【００９２】
＜第１姿勢＞
大サイズ用紙２５０を給紙トレイ１６０に収容する場合、サイドガイド２５６が第１位置に配置される（図１０参照）。この状態では、図１４に示されるように、サブトレイ２５６のアーム２６９，２７０がサイドガイド２６３の上面に当接してサイドガイド２６３に支持される。これにより、サブトレイ２５６は、後端部１９６の給紙トレイ１６０側への回動が規制されて、第１姿勢に維持される。このように、サイドガイド２５６が第１位置に配置された状態では、サブトレイ２５６の第１姿勢から第２姿勢への姿勢変化が規制される。
【００９３】
＜第２姿勢＞
小サイズ用紙２５１を給紙トレイ１６０に収容する場合、第１位置に配置されたサイドガイド２６３は、第１位置から第２位置へスライド移動される（図１０、図１４、図１５、及び図１８参照）。このサイドガイド２６３の移動に伴ってサイドガイド２６３によるアーム２６９，２７０の支持が解除される。サブトレイ２５６は、軸１８４のみがトレイ本体２５４に回動可能に支持されている。このため、サブトレイ２５６の重量によって給紙トレイ１６０側へ回動される。サブトレイ２５６が給紙トレイ１６０側へ回動されることにより、図１８に示されるように、サブトレイ本体２６７の凹部２５９がサイドガイド２６３の上面に当接する。その結果、サブトレイ２５６は、給紙トレイ１６０のサイドガイド２６３に支持された第２姿勢となる。このように、排紙トレイ１８０のサブトレイ２５６は、サイドガイド２６３が第２位置に配置されることにより、サブトレイ２５６の重量によって第１姿勢から第２姿勢へ姿勢変化される。
【００９４】
＜本実施形態の作用効果＞
図１９は、給紙カセット１５０の縦断面図であり、（Ａ）はサブトレイ２５６が第１姿勢に維持された状態、（Ｂ）はサブトレイ２５６が第２姿勢に維持された状態を示す。
【００９５】
図１９（Ａ）に示されるように、記録用紙２４７として大サイズ用紙２５０が排紙トレイ１８０に排出される場合、大サイズ用紙２５０はその一部が開口２０６の外側へ露出された状態で排紙トレイ１８０に収容される。したがって、ユーザは、排紙トレイ１８０に収容された大サイズ用紙２５０を排紙トレイ１８０から容易に取り出すことができる。
【００９６】
サイドガイド２６３が第１位置に配置された状態では、サイドガイド２６３によりサブトレイ２５６の後端部１９６の回動が規制されており、サブトレイ２５６が第１姿勢に維持される。サイドガイド２６３が第２位置に配置されることによって、サブトレイ２５６が給紙トレイ１６０側へ回動可能となる。図１９（Ｂ）に示されるように、記録用紙２４７として小サイズ用紙２５１が排紙トレイ１８０に排出される場合、小サイズ用紙２５１は、開口２０６の奥側に排出される。排紙トレイ１８０は、サイドガイド２６３が第２位置に配置されることによって給紙トレイ１６０内へ回動されている。これにより、排紙トレイ１８０上の空間が切り欠き部１８９の下方へ拡張される。換言すれば、排紙トレイ１８０に排出された小サイズ用紙２５１を取り出すためにユーザが手を入れるための空間が下方に拡張される。
【００９７】
図１９（Ａ）及び（Ｂ）に示されるように、サブトレイ２５６が第１姿勢のときにＨ３であった開口２０６における空間の高さが、サブトレイ２５６が第２姿勢に姿勢変化されることによってＨ４となる。このため、ユーザが開口２０６のより奥まで手を入れることが可能となり、排紙トレイ１８０上に排出された記録用紙２４７が小サイズ用紙２５１であっても、ユーザは、排紙トレイ１８０から小サイズ用紙２５１を容易に取り出すことができる。したがって、ユーザが排紙トレイ１８０から記録用紙２４７を取り出しにくくなるといった不利益を被ることなく、開口２０６の高さを低くしてスキャナ及びプリンタが上下二段に設けられた装置の薄型化を図ることができる。なお、複合機２００がプリント機能のみを有する単機能のプリンタである場合も同様の効果が奏される。
【００９８】
また、小サイズ用紙２５１は、サブトレイ２５６が給紙トレイ１６０側へ回動された状態で排紙トレイ１８０へ排出される。サブトレイ２５６の幅が小サイズ用紙２５１の幅よりも広い。また、給紙トレイ１６０に収容された小サイズ用紙２５１がサイドガイド２６３によってセンターレジされているので、画像が記録された小サイズ用紙２５１は、排紙トレイ１８０の水平方向１５２における略中央に排出される。このため、小サイズ用紙２５１の両側がトレイ本体２５４には支持されずサブトレイ２５６のみに支持される。このため、排出された小サイズ用紙２５１は、サブトレイ２５６に沿って開口２０６側へスライドされる。その結果、小サイズ用紙２５１の取り出しがさらに容易となる。
【００９９】
また、サイドガイド２６３が第２位置に配置された状態では、サブトレイ２５６がその重量によって第２姿勢に維持される。すなわち、小サイズ用紙２５１を給紙トレイ１６０に収容する場合には、サブトレイ２５６の後端部１９６が常に給紙トレイ１６０側へ移動した状態となる。これにより、大サイズ用紙２５０が排出される場合に比べて、装置本体２０５の外部からの開口２０６内の視認性が向上する。その結果、開口２０６内の奥に排出された小サイズ用紙２５１が排紙トレイ１８０に収容されていることを、ユーザが開口２０６内をのぞき込むことなく容易に確認することが可能となる。また、サブトレイ２５６が記録用紙２４７のサイズに対応しない姿勢になることがない。すなわち、給紙トレイ１６０に大サイズ用紙２５０が収容された状態ではサブトレイ２５６が第１姿勢に維持され、給紙トレイ１６０に小サイズ用紙２５１が収容された状態ではサブトレイ２５６が第２姿勢に維持される。このため、ユーザは、記録用紙２４７のサイズをサブトレイ２５６の姿勢から判断することができる。
【０１００】
なお、サブトレイ２５６は、サブトレイ２５６が第２姿勢から第１姿勢へ姿勢変化するようにバネ（本発明の弾性部材の一例）を備えていてもよい。例えば、サブトレイ２５６の軸１８４にネジリコイルバネを設ける。この場合、サブトレイ２５６はネジリコイルバネの弾性力によって第１姿勢に維持されているので、外力が加えられることによって第１姿勢から第２姿勢へ姿勢変化する。サブトレイ２５６が第２姿勢側から第１姿勢側へ弾性付勢されているので、外力が除かれることによりサブトレイ２５６が第１姿勢側へ戻される。このため、ユーザによってサブトレイ２５６が押し下げられた場合のみサブトレイ２５６が第２姿勢となり、それ以外の状態において給紙トレイ１６０の上面が閉塞されて給紙トレイ１６０内へゴミが進入することが防止される。
【０１０１】
また、上記第１実施形態及び第２実施形態においては、排紙トレイ１８０の一部が給紙トレイ１６０へ向けて回動されて第１姿勢から第２姿勢へ姿勢変化される形態について説明したが、排紙トレイ１８０は、水平姿勢を維持したまま給紙トレイ１６０側へ下降されるように構成されていてもよい。例えば、第１実施形態において説明した排紙トレイ１８０が、トレイ本体１８１及びサブトレイ１８３が一体的に給紙トレイ１６０側へ移動可能に構成されてもよい。また、例えば、第２実施形態において説明した排紙トレイ１８０が、トレイ本体２５４及びサブトレイ２５６が一体的に給紙トレイ１６０側へ移動可能に構成されてもよい。すなわち、本発明における排紙トレイ１８０の第１姿勢から第２姿勢への姿勢変化は、排紙トレイ１８０の回動に限定されるものではなく、排紙トレイ１８０の給紙トレイ１６０側へのスライドであってもよい。
【０１０２】
また、サブトレイ１８３，２５６は、水平方向１５２における幅が小サイズ用紙２５１の幅よりも狭いものであってもよい。ただし、上記実施形態のように、水平方向１５２におけるサブトレイ１８３，２５６の幅を小サイズ用紙２５１の幅よりも広くした場合、小サイズ用紙２５１が開口２０６へ向けてスライドする。その結果、排紙トレイ１８０からの小サイズ用紙２５１の取り出しが容易となる。したがって、サブトレイ１８３，２５６は、水平方向１５２における幅が小サイズ用紙２５１の幅よりも広いことが好ましい。
【０１０３】
また、排紙トレイ１８０から記録用紙２４７を取り出すための開口２０６は、例えば装置本体２０５の側面に設けられていてもよい。ただし、記録用紙２４７の取り出しをより容易にするために、開口２０６は、操作パネル２０４が設けられている装置本体２０５の正面１５６側に設けられていることが好ましい。
【図面の簡単な説明】
【０１０４】
【図１】図１は、本発明の一実施形態に係る複合機２００の外観斜視図である。
【図２】図２は、給紙カセット１５０の外観構成を示す概略斜視図であり、記録用紙２４７として給紙トレイ１６０に大サイズ用紙２５０が収容された状態を示す。
【図３】図３は、プリント部２０１の内部構造を示す模式図である。
【図４】図４は、給紙カセット１５０の内部構造を示す縦断面図であり、記録用紙２４７として給紙トレイ１６０に大サイズ用紙２５０が収容された状態を示す。
【図５】図５は、給紙カセット１５０の外観構成を示す概略斜視図であり、記録用紙２４７として給紙トレイ１６０に小サイズ用紙２５１が収容された状態を示す。
【図６】図６は、給紙カセット１５０の内部構造を示す縦断面図であり、記録用紙２４７として給紙トレイ１６０に小サイズ用紙２５１が収容された状態を示す。
【図７】図７は、排紙トレイ１８０に大サイズ用紙２５０が排出された給紙カセット１５０を示す概略斜視図である。
【図８】図８は、排紙トレイ１８０に小サイズ用紙２５１が排出された給紙カセット１５０を示す概略斜視図である。
【図９】図９は、給紙カセット１５０の縦断面図であり、（Ａ）はサブトレイ１８３が第１姿勢に維持された状態、（Ｂ）はサブトレイ１８３が第２姿勢に維持された状態を示す。
【図１０】図１０は、給紙カセット１５０の外観構成を示す概略斜視図であり、サブトレイ２５６が第１姿勢に維持された状態を示す。
【図１１】図１１は、給紙カセット１５０の概略平面図である。
【図１２】図１２は、図１１における給紙カセット１５０のＸＩＩ−ＸＩＩ線断面図であり、サブトレイ２５６が第１姿勢に維持された状態を示す。
【図１３】図１３は、図１１における給紙カセット１５０のＸＩＩＩ−ＸＩＩＩ線断面図であり、サブトレイ２５６が第１姿勢に維持された状態を示す。
【図１４】図１４は、図１１における給紙カセット１５０のＸＩＶ−ＸＩＶ線断面図であり、サブトレイ２５６が第１姿勢に維持された状態を示す。
【図１５】図１５は、給紙カセット１５０の外観構成を示す概略斜視図であり、サブトレイ２５６が第２姿勢に維持された状態を示す。
【図１６】図１６は、図１１における給紙カセット１５０のＸＩＩ−ＸＩＩ線断面図であり、サブトレイ２５６が第２姿勢に維持された状態を示す。
【図１７】図１７は、図１１における給紙カセット１５０のＸＩＩＩ−ＸＩＩＩ線断面図であり、サブトレイ２５６が第２姿勢に維持された状態を示す。
【図１８】図１８は、図１１における給紙カセット１５０のＸＩＶ−ＸＩＶ線断面図であり、サブトレイ２５６が第２姿勢に維持された状態を示す。
【図１９】図１９は、給紙カセット１５０の縦断面図であり、（Ａ）はサブトレイ２５６が第１姿勢に維持された状態、（Ｂ）はサブトレイ２５６が第２姿勢に維持された状態を示す。
【符号の説明】
【０１０５】
１５２・・・水平方向
１５６・・・正面
１６０・・・給紙トレイ（本発明の第１トレイの一例）
１６５・・・リヤガイド（本発明の位置決め部材の一例、第１規制部材に相当）
１８０・・・排紙トレイ（本発明の第２トレイの一例）
１８１，２５４・・・トレイ本体（本発明のトレイ本体の一例）
１８３，２５６・・・サブトレイ（本発明のサブトレイの一例）
１８９・・・切り欠き部
１９３・・・上面
１９６・・・後端部
２００・・・複合機
２０１・・・プリント部（本発明の画像記録装置の一例）
２０５・・・装置本体
２０６・・・開口
２２４・・・記録部（本発明の記録部の一例）
２３０・・・搬送部（本発明の搬送部の一例）
２４７・・・記録用紙（本発明の被記録媒体の一例）
２５０・・・大サイズ用紙（本発明の第１サイズの被記録媒体の一例）
２５１・・・小サイズ用紙（本発明の第２サイズの被記録媒体の一例）
２６３・・・サイドガイド（本発明の位置決め部材の一例、第２規制部材に相当）
【図１】
2008297058.tif 000003
【図２】
2008297058.tif 000004
【図３】
2008297058.tif 000005
【図４】
2008297058.tif 000006
【図５】
2008297058.tif 000007
【図６】
2008297058.tif 000008
【図７】
2008297058.tif 000009
【図８】
2008297058.tif 000010
【図９】
2008297058.tif 000011
【図１０】
2008297058.tif 000012
【図１１】
2008297058.tif 000013
【図１２】
2008297058.tif 000014
【図１３】
2008297058.tif 000015
【図１４】
2008297058.tif 000016
【図１５】
2008297058.tif 000017
【図１６】
2008297058.tif 000018
【図１７】
2008297058.tif 000019
【図１８】
2008297058.tif 000020
【図１９】
2008297058.tif 000021